(57)【特許請求の範囲】
【請求項１】
柱と天井梁ならびに床梁で直方形の構造体が構成され、この構造体に床パネルや壁パネル等のパネル材が取り付けられて構成されている建物ユニットへの階段の支持構造であって、
前記床梁間に架設された床小梁に、階段室とその隣の室とを仕切る間仕切り壁の壁フレームが取り付けられ、その壁フレームには階段受け材が取り付けられていて、前記階段室に設けられている階段の中程の高さ部分が前記階段受け材に取り付けられるとともに、
前記階段が、木材からなる上段部分と、鋼鉄製フレームを有する中段部分と、木材からなる下段部分とから構成されていて、前記鋼鉄製フレームが、前記間仕切り壁の階段受け材に取り付けられていることを特徴とする階段の支持構造。
【請求項２】
前記階段の上端部が天井梁に取り付けられ、下端部が床梁に取り付けられている請求項１記載の階段の支持構造。
【請求項３】
前記間仕切り壁の上方に天井小梁を設けずに、前記間仕切り壁を床小梁のみに支持させている請求項１または２記載の階段の支持構造。
【請求項４】
床梁と天井梁との間に間柱が設けられ、その間柱に横材が取り付けられ、その横材に階段受け材が取り付けられていて、前記階段の鋼鉄製フレームが前記横材の階段受け材に取り付けられている請求項１ないし３のいずれか一項に記載の階段の支持構造。
【発明の詳細な説明】
【０００１】
【発明の属する技術分野】
本発明は、建物ユニットにおける階段の支持構造に関する。
【０００２】
【従来の技術】
従来より、柱と天井梁ならびに床梁で直方形の構造体を構成し、この構造体に床パネルや壁パネル等のパネル材を取り付けて建物ユニットを構成し、この建物ユニットを建築現場にて複数結合させて構築するユニット建物が知られている（特公昭５８−３７４６２号公報参照）。
【０００３】
ところで、３階建て以上のユニット建物において、各階の床を結ぶ階段を同じ平面上に配置させた場合、１階と２階とを結ぶ階段は１階の床に支持させることができるものの、それよりも上の階の階段は、床に支持させることができないので従来は、建物の構造体、すなわち天井梁や床梁に支持させている。
【０００４】
また、階段の支持強度の向上を図るため、天井梁と床梁との間に一対の間柱を設け、その間柱間にまぐさを兼ねる横材を設け、その横材に階段受け材を取り付け、この階段受け材に階段の中程の高さ部分を支持させているものもある（特開平６−７８５３０号公報参照）。この構造は、９０度あるいは１８０度に折れ曲がった折れ階段を設置する場合に特に好適である。
【０００５】
更に、従来は、１階と２階とを結ぶ階段を木材で形成する場合でも、２階よりも上の階の階段については、段板を支持する階段フレームを全て鋼鉄製のフレームで構成することによって剛性を確保していた。
【０００６】
【発明が解決しようとする課題】
しかしながら、このような従来の階段の支持構造にあっては、階段受け材の位置が建物ユニットの側面上に限られていたため、それによって階段の形状ならびに配置も制約されてしまうという問題があった。
【０００７】
また、従来は、１階と２階とを結ぶ階段とそれよりも上の階の階段との形状が同一であっても階段を異なる材料で形成していたために、階段部品の品種の数が多くなってしまい、コスト高になるという問題があった。
【０００８】
そこで、本発明は、上記のような問題に着目し、階段の支持強度を保持しながら階段の形状ならびに配置の自由度を高めることがようにすること、ならびに階段部品の品種の数を減らしてコスト削減を図ることができるようにすることを目的としている。
【０００９】
【課題を解決するための手段】
上記目的を達成するため、本発明では、柱と天井梁ならびに床梁で直方形の構造体が構成され、この構造体に床パネルや壁パネル等のパネル材が取り付けられて構成されている建物ユニットへの階段の支持構造であって、前記床梁間に架設された床小梁に、階段室とその隣の室とを仕切る間仕切り壁の壁フレームが取り付けられ、その壁フレームには階段受け材が取り付けられていて、前記階段室に設けられている階段の中程の高さ部分が前記階段受け材に取り付けられている構成とした。
【００１０】
また、上記目的を達成するため、前記階段が、木材からなる上段部分と、鋼鉄製フレームを有する中段部分と、木材からなる下段部分とから構成されていて、前記鋼鉄製フレームが、前記間仕切り壁の階段受け材に取り付けられている構成とした。ここで、床梁と天井梁との間に間柱が設けられ、その間柱に横材が取り付けられ、その横材に階段受け材が取り付けられていて、前記階段の鋼鉄製フレームが前記横材の階段受け材に取り付けられている構成であってもよい。
【００１１】
本発明では、ユニット側面に限らずユニット内に階段受け材を設けることができ、そのユニット内の階段受け材に階段の中程の高さ部分を支持させているので、階段の形状ならびに配置の自由度が高まる。
ここで、階段の上端部ならびに下端部と中程の高さ部分が支持されていれば、階段の支持強度を保持することができる。
また、間仕切り壁の上方に天井小梁を設けずに、前記間仕切り壁を床小梁のみに支持させていれば、階段室とその隣の室とを完全に区切らずに連続させるプランも可能となる。
そして、階段の上段部分と下段部分とを木材で形成しているので、木製階段と部品を兼用することができる。
また、階段の鋼鉄製フレームを、間仕切り壁の階段受け材と横材の階段受け材の両方に取り付けることで、階段の一部を木材で形成しながらも、階段の支持強度を保持することができる。
【００１２】
【発明の実施の形態】
以下、図面に基づいて、実施の形態の階段の支持構造について詳述する。図１は本実施の形態の階段の支持構造を適用した２階の建物ユニット内部を示す斜視図、図２は前記２階の建物ユニットの間仕切り壁を示す側面図、図３は階段の平面図、図４は図３のIV−IV断面図、図５は図３のＶ−Ｖ断面図、図６は階段の平面図、図７は図６の VII−VII 断面図、図８は図６のVIII−VIII断面図、図９は階段の平面図、図１０は図９のＸ−Ｘ断面図、図１１は図９のXI方向矢視図、図１２は図１０の要部XII の拡大図、図１３は図１２のXIII方向矢視図、図１４は間仕切り壁の（ｉ）平面図，（ii) 正面図，(iii) 側面図、図１５は図１４（ii) のXV−XV断面図、図１６は図１４（ii) の XVI−XVI 断面図、図１７は図１６のXVII方向矢視図、図１８は階段の中間ユニットの斜視図、図１９は図１８の XIX方向矢視図、図２０は図１８のXX−XX断面図、図２１は図１８の XXI−XXI 断面図、図２２は図１９ならびに図２０のXXII方向矢視図、図２３は階段の平面図、図２４は図２３のXXIV−XXIV矢視図、図２５は階段の平面図、図２６は図２５のXXVI−XXVI矢視図、図２７は階段の平面図、図２８は図２７の要部XXVIIIの詳細図、図２９は図２８のXXIX−XXIX断面図、図３０は図２９の要部XXX の詳細図、図３１は図３０のXXXI−XXXI断面図、図３２は階段の平面図、図３３は図３２の要部XXXIIIの詳細図、図３４は図３３の XXXIV−XXXIV 断面図、図３５は図３３のXXXV−XXXV断面図である。
【００１３】
本実施の形態では、３階建てのユニット建物における階段の支持構造について説明する。このユニット建物は、柱１ａと天井梁１ｂならびに床梁１ｃで直方形の構造体を構成し、この構造体に床パネル２ａや壁パネル２ｂや天井パネル２ｃ等のパネル材を取り付けて構成した建物ユニットを施工現場に複数搬送し、それら建物ユニットを互いに接合させることによって構成されている。また、このユニット建物では、図３〜図５に示すように、１階の床と２階の床とを結ぶ折り返し階段（以下、１階の階段という）３と、２階の床と３階の床とを結ぶ折り返し階段（以下、２階の階段という）４とが、同じ平面上に配置されており、これらの階段３，４の側部と中央にはそれぞれ側部間仕切り壁５ａ，５ｂ，６ａ，６ｂ，６ｃと中央間仕切り壁７ａ，７ｂ，８ａ，８ｂ，９ａ，９ｂとが設けられている。また、この階段室の横は、１階の床から３階の天井まで連続した吹き抜けになっている。
【００１４】
前記２階の建物ユニットの側部間仕切り壁６ａ，６ｂ，６ｃは、図１，図２に示すように、左右に３つ並設されており、階段４の中段部分４ｂ横の側部間仕切り壁６ａは２階の天井高さに形成され、階段４の下段部分４ａ横の２つの側部間仕切り壁６ｂ，６ｃは、その上端部が階段４の手摺を兼ねるように、腰壁の高さで階段４の傾斜に合わせて斜めに形成されている。また、これらの側部間仕切り壁６ａ，６ｂ，６ｃは、それぞれ、鋼鉄製の外枠６１１ａ，６１１ｂ，６１１ｃと複数の木製の横補強桟６１２ａ，６１２ｂ，６１２ｃからなる壁フレーム６１ａ，６１ｂ，６１ｃと、その両面に固定された面材６２ａ，６２ｂ，６２ｃとを備えており、図１０〜図１３に示すように、壁フレーム６１ａ，６１ｂ，６１ｃが建物ユニットの床梁１ｃ間に設けられた床小梁１５にボルト１６とナット１７で取り付けられている。なお、２階の建物ユニットは、これら側部間仕切り壁６ａ，６ｂ，６ｃの上方に天井小梁が設けられておらず、前記側部間仕切り壁６ａ，６ｂ，６ｃは、床小梁１５のみに固定されている。
【００１５】
更に、図１４〜１７に示すように、前記側部間仕切り壁６ａのほぼ中間の高さ位置には、前記横補強桟６１２ａと平行に鋼鉄製の横材６１３ａが設けられていて、この横材６１３ａの左右２箇所には階段受け材６１４ａが固定されている。なお、前記階段受け材６１４ａは、一方の面材６２ａに設けられた孔６２１ａを貫通して面材６２ａの表面よりも外に突出している。
【００１６】
また、前記２階の建物ユニットの構造体には、図２３〜図２６に示すように、側部間仕切り壁６ａ，６ｂ，６ｃと直交する面に３本の間柱１０，１０，１０が立設され、各間柱１０，１０，１０間の階段と対応する高さ位置に２本の横材１１，１１が設けられていて、これらの横材１１，１１の左右２箇所には階段受け材１２，１２が固定されている。更に、側部間仕切り壁６ａ，６ｂ，６ｃと対向する面にも２本の間柱１０，１０が立設され、これら間柱１０，１０間の階段と対応する高さ位置に横材１１が設けられていて、この横材１１の左右２箇所にも階段受け材１２，１２が固定されている。
【００１７】
前記１階の階段３は、木材で構成されており、木製のフレーム（図示省略）等を介して１階の床パネル２ａに支持されている。
【００１８】
前記２階の階段４は、側部間仕切り壁６ａ，６ｂ，６ｃに沿って真っ直に上り下りする下段部分４ａと、１８０度向きを変えて下り返す中段部分４ｂと、中央間仕切り壁８ａ，８ｂに沿って真っ直に上り下りする上段部分４ｃとから構成されている。そして、前記下段部分４ａと前記上段部分４ｃは、図１ならびに図２に示すように、木製のささら桁４１ａ，４１ｃに木製の段板４２ａ，４２ｃを取り付けることによって構成され、前記中段部分４ｂは、図１８ならびに図１９に示すように、鋼鉄製フレーム４３ｂに木製の段板４２ｂを取り付けることによって構成されている。
【００１９】
また、前記下段部分４ａは、図７に示すように、下端部が２階の建物ユニットの床梁１ｃに取り付けられていると共に、ささら桁４１ａが前記側部間仕切り壁６ｂ，６ｃならびに中央間仕切り壁８ａ，８ｂに固定され、前記上段部分４ｃは、図８に示すように、上端部が２階の建物ユニットの床梁１ｃに取り付けられ、ささら桁４１ｃが建物ユニットの壁面ならびに中央間仕切り壁８ａ，８ｂに固定されている。
【００２０】
更に、前記中段部分４ｂは、図２０〜図２２，図２７〜図３５に示すように、鋼鉄製フレーム４３ｂが、構造体に取り付けられた６つの階段受け材１２と、側部間仕切り壁６ａに取り付けられた２つの階段受け材６１４ａのぞれぞれにボルト１３とナット１４で固定されている。
【００２１】
つまり、本実施の形態では、建物ユニットの側面に階段受け材１２を設けただけでなく建物ユニット内にも階段受け材６１４ａを設け、それらの階段受け材１２，６１４ａで２階の階段４の中段部分４ｂを支持したので、階段４の支持強度を保持しながら、階段４の形状ならびに配置の自由度を高めることができる。また、側部間仕切り壁６ａ，６ｂ，６ｃの上方に天井小梁を設けずに、前記側部間仕切り壁６ａ，６ｂ，６ｃを床小梁１５のみに支持させたので、階段室とその隣の吹き抜けとを完全に区切らずに連続させることができる。更に、階段４の上段部分４ｃと下段部分４ａとを木材で形成し、階段４の中段部分４ｂの鋼鉄製フレーム４３ｂを、側部間仕切り壁５ａの階段受け材６１４ａと構造体側の階段受け材１２の両方に取り付けたので、階段４の支持強度を保持しながら、木製階段すなわち１階の階段３と部品を兼用してコストの削減を図ることもできる。
【００２２】
以上、本発明の実施の形態を図面により詳述してきたが、具体的な構成はこの実施の形態に限られるものではなく、本発明の要旨を逸脱しない範囲における設計の変更等があっても本発明に含まれる。例えば、実施の形態では、３階建てのユニット建物に適用した例を示したが、４階建て以上の高さの建物に適用してもよい。また、実施の形態では、階段室の隣を吹き抜けにしたが床を設けて居室にしてもよい。また、実施の形態では、階段の中段部分の鋼鉄製フレームを、構造体に設けた６つの階段受け材と、間仕切り壁に設けた２つの階段受け材に対して固定したが、これらの階段受け材の数は、階段の大きさ等に応じて適宜設定することができる。例えば、間仕切り壁に設ける階段受け材の数を増やして構造体に設ける階段受け材の数を減らしたり、間仕切り壁に設ける階段受け材の数を変えずに構造体に設ける階段受け材の数を減らしたりしてもよい。
【００２３】
【発明の効果】
以上説明したように、本発明の階段の支持構造にあっては、ユニットの側面に限らずユニット内に階段受け材を設け、それらの階段受け材で階段の中程の高さ部分を支持することができるので、階段の支持強度を保持しながら、階段の形状ならびに配置の自由度を高めることができるという効果が得られる。また、間仕切り壁の上方に天井小梁を設けずに、前記間仕切り壁を床小梁のみに支持させることにより、階段室とその隣の室とを完全に区切らずに連続させるプランも可能となる。更に、階段の上段部分と下段部分とを木材で形成し、階段の中程部分の鋼鉄製フレームを、間仕切り壁の階段受け材と横材の階段受け材の両方に取り付けることにより、階段の支持強度を保持しながら、木製階段と部品を兼用してコストの削減を図ることができるという効果も得られる。
【図面の簡単な説明】
【図１】  本実施の形態の階段の支持構造を適用した２階の建物ユニット内部を示す斜視図である。
【図２】  ２階の建物ユニットの間仕切り壁を示す側面図である。
【図３】  階段の平面図である。
【図４】  図３のIV−IV断面図である。
【図５】  図３のＶ−Ｖ断面図である。
【図６】  階段の平面図である。
【図７】  図６の VII−VII 断面図である。
【図８】  図６のVIII−VIII断面図である。
【図９】  階段の平面図である。
【図１０】  図９のＸ−Ｘ断面図である。
【図１１】  図９のXI方向矢視図である。
【図１２】  図１０の要部XII の拡大図である。
【図１３】  図１２のXIII方向矢視図である。
【図１４】  間仕切り壁の（ｉ）平面図，（ii) 正面図，(iii) 側面図である。
【図１５】  図１４（ii) のXV−XV断面図である。
【図１６】  図１４（ii) の XVI−XVI 断面図である。
【図１７】  図１６のXVII方向矢視図である。
【図１８】  階段の中間ユニットの斜視図である。
【図１９】  図１８の XIX方向矢視図である。
【図２０】  図１８のXX−XX断面図である。
【図２１】  図１８の XXI−XXI 断面図である。
【図２２】  図１９ならびに図２０のXXII方向矢視図である。
【図２３】  階段の平面図である。
【図２４】  図２３のXXIV−XXIV矢視図である。
【図２５】  階段の平面図である。
【図２６】  図２５のXXVI−XXVI矢視図である。
【図２７】  階段の平面図である。
【図２８】  図２７の要部XXVIIIの詳細図である。
【図２９】  図２８のXXIX−XXIX断面図である。
【図３０】  図２９の要部XXX の詳細図である。
【図３１】  図３０のXXXI−XXXI断面図である。
【図３２】  階段の平面図である。
【図３３】  図３２の要部XXXIIIの詳細図である。
【図３４】  図３３の XXXIV−XXXIV 断面図である。
【図３５】  図３３のXXXV−XXXV断面図である。
【符号の説明】
１ａ  柱
１ｂ  天井梁
１ｃ  床梁
２ａ  床パネル
２ｂ  壁パネル
２ｃ  天井パネル
３  １階の階段
４  ２階の階段
４ａ  下段部分
４ｂ  中段部分
４３ｂ  鋼鉄製フレーム
４ｃ  上段部分
６ａ，６ｄ，６ｅ  側部間仕切り壁（間仕切り壁）
６１ａ，６１ｄ，６１ｅ  壁フレーム
６１４ａ  階段受け材
１０  間柱
１１  横材
１２  階段受け材
【図１】
0003987612.tif 000002
【図２】
0003987612.tif 000003
【図３】
0003987612.tif 000004
【図４】
0003987612.tif 000005
【図５】
0003987612.tif 000006
【図６】
0003987612.tif 000007
【図７】
0003987612.tif 000008
【図８】
0003987612.tif 000009
【図９】
0003987612.tif 000010
【図１０】
0003987612.tif 000011
【図１１】
0003987612.tif 000012
【図１２】
0003987612.tif 000013
【図１３】
0003987612.tif 000014
【図１４】
0003987612.tif 000015
【図１５】
0003987612.tif 000016
【図１６】
0003987612.tif 000017
【図１７】
0003987612.tif 000018
【図１８】
0003987612.tif 000019
【図１９】
0003987612.tif 000020
【図２０】
0003987612.tif 000021
【図２１】
0003987612.tif 000022
【図２２】
0003987612.tif 000023
【図２３】
0003987612.tif 000024
【図２４】
0003987612.tif 000025
【図２５】
0003987612.tif 000026
【図２６】
0003987612.tif 000027
【図２７】
0003987612.tif 000028
【図２８】
0003987612.tif 000029
【図２９】
0003987612.tif 000030
【図３０】
0003987612.tif 000031
【図３１】
0003987612.tif 000032
【図３２】
0003987612.tif 000033
【図３３】
0003987612.tif 000034
【図３４】
0003987612.tif 000035
【図３５】
0003987612.tif 000036